(57)【要約】【課題】  像担持体上のトナー像を記録媒体に転写する転写装置において、最大幅よりも短い記録媒体を用いた場合に、記録媒体が通過しない部分の像担持体に転写電圧が直接印加されるのを防止し、像担持体などの劣化を防止する。【解決手段】  像担持体１２と対向する位置に、非磁性の金属板からなる基体４２を配設し、基体４２上に多数の導電性磁性粒子４４を配置する。基体４２には電源４６から転写電圧が印加される。基体４２の下部には、複数の電磁石５０を並べた磁界発生装置４８が配設され、電磁石５０のスイッチ５２のＯＮ，ＯＦＦが制御装置５４で制御される。制御装置５４は、予め検出された記録媒体幅に合わせて、記録媒体Ｐが通過する部分に磁界を発生させる。これにより、基体４２上に導電性磁性粒子４４による磁気ブラシ４４Ａが形成され、記録媒体Ｐと接触する。【選択図】  図３
2006085060.tif 000002
【特許請求の範囲】
【請求項１】
像担持体上に形成されたトナー像を記録媒体に転写する転写装置であって、
前記像担持体と対向し前記記録媒体の搬送路に面して設けられ、導電性磁性粒子が配置された基体と、
前記基体上に磁界を発生させ、前記導電性磁性粒子による磁気ブラシを形成して前記記録媒体に接触させる磁界発生手段と、
前記記録媒体が通過する部分に前記磁界発生手段で磁界を発生させる磁界制御手段と、
前記磁気ブラシに転写電圧を印加する電源と、
を有することを特徴とする転写装置。
【請求項２】
像担持体上に形成されたトナー像を記録媒体に転写する転写装置であって、
前記像担持体と対向し前記記録媒体の搬送路に面して設けられ、導電性磁性粒子とこの導電性磁性粒子を覆う保護層とを有する基体と、
前記基体上に磁界を発生させ、前記導電性磁性粒子による磁気ブラシを形成して前記記録媒体に前記保護層を介して接触させる磁界発生手段と、
前記記録媒体が通過する部分に前記磁界発生手段で磁界を発生させる磁界制御手段と、
前記磁気ブラシに転写電圧を印加する電源と、
を有することを特徴とする転写装置。
【請求項３】
前記基体は内円筒スリーブであり、
前記保護層が、前記内円筒スリーブへ外挿され、内周面側に導電性磁性粒子が配置された回転自在の外円筒スリーブであり、
前記内円筒スリーブの内部に前記磁界発生手段が配置されていることを特徴する請求項２に記載の転写装置。
【請求項４】
請求項１から請求項３までのいずれか１項に記載の転写装置と、
記録媒体幅を検出する検出手段と、を有し、
前記検出手段によって検出された記録媒体幅に基づき、前記記録媒体が通過する部分に前記磁界発生手段の磁界を発生させることを特徴とする画像形成装置。
【発明の詳細な説明】
【技術分野】
【０００１】
本発明は、像担持体上に形成されたトナー像を記録媒体に転写する転写装置、及びこの転写装置を備えた画像形成装置に関する。
【背景技術】
【０００２】
従来、電子写真方式を採用した複写機、プリンタ等の画像形成装置として、例えば図８に示す画像形成装置が知られている。
【０００３】
この画像形成装置２００は、感光体等の像担持体１２２の表面を帯電装置２０４によって一様に帯電した後、像担持体１２２の表面に像光２０６を照射して静電潜像を形成し、この静電潜像を現像装置２０８によって現像してトナー像を形成する。このトナー像は、転写ローラ２１０によって用紙等の記録媒体Ｐに転写される。さらに、トナー像が転写された後の像担持体１２２の表面はクリーニング装置２１２によってクリーニングされ、残留トナーが除去される。
【０００４】
このような画像形成装置２００では、転写ローラ２１０が記録媒体Ｐを介して像担持体１２２に接触するように配置されており、転写ローラ２１０にトナーと逆極性の高電圧の転写電圧が印加される。これにより、像担持体１２２上のトナー像が記録媒体Ｐに電気的に引き寄せられて転写される（例えば特許文献１を参照）。
【０００５】
しかし、このような接触方式の転写ローラ２１０では、図９に示すように、最大幅よりも短い記録媒体Ｐを用いた場合、転写ローラ２１０が直接像担持体１２２に接触するため（C部分）、転写電圧が転写ローラ２１０から像担持体１２２に印加され、像担持体１２２などの劣化を招くという問題がある。
【特許文献１】特開平１０−０６３１２０号公報
【発明の開示】
【発明が解決しようとする課題】
【０００６】
本発明は、上記問題点に鑑みてなされたものであり、最大幅よりも短い記録媒体を用いた場合でも像担持体の劣化を防止できる転写装置及び画像形成装置を提供することを目的とする。
【課題を解決するための手段】
【０００７】
上記問題点を解決するために、請求項１に記載の発明に係る転写装置は、像担持体上に形成されたトナー像を記録媒体に転写する転写装置であって、前記像担持体と対向し前記記録媒体の搬送路に面して設けられ、導電性磁性粒子が配置された基体と、前記基体上に磁界を発生させ、前記導電性磁性粒子による磁気ブラシを形成して前記記録媒体に接触させる磁界発生手段と、前記記録媒体が通過する部分に前記磁界発生手段で磁界を発生させる磁界制御手段と、前記磁気ブラシに転写電圧を印加する電源と、を有することを特徴としている。
【０００８】
請求項１に記載の発明によれば、像担持体と対向し、かつ記録媒体の搬送路に面して導電性磁性粒子を配置した基体が設けられており、磁界発生手段によって基体上に磁界を発生させる。これにより、基体上に導電性磁性粒子による磁気ブラシが形成され、この磁気ブラシが記録媒体に接触する。また、磁気ブラシに転写電圧が印加されており、像担持体上のトナー像が記録媒体に転写される。その際、磁界制御手段が、記録媒体が通過する部分に磁界発生手段で磁界を発生させるため、記録媒体が通過しない部分には磁気ブラシが形成されない。このため、記録媒体が無い部分で転写電圧が直接像担持体に印加されることが回避され、像担持体などの劣化が防止される。
【０００９】
請求項２に記載の発明に係る転写装置は、像担持体上に形成されたトナー像を記録媒体に転写する転写装置であって、前記像担持体と対向し前記記録媒体の搬送路に面して設けられ、導電性磁性粒子とこの導電性磁性粒子を覆う保護層とを有する基体と、前記基体上に磁界を発生させ、前記導電性磁性粒子による磁気ブラシを形成して前記記録媒体に前記保護層を介して接触させる磁界発生手段と、前記記録媒体が通過する部分に前記磁界発生手段で磁界を発生させる磁界制御手段と、前記磁気ブラシに転写電圧を印加する電源と、を有することを特徴としている。
【００１０】
請求項２に記載の発明によれば、基体に設けられた保護層が導電性磁性粒子を覆い飛散を防止している。この保護層は、磁気ブラシが形成されたときに可動して記録媒体に接触する。このため、記録媒体が無い部分では保護層は記録媒体に接触しない。したがって、記録媒体が無い部分で転写電圧が直接像担持体に印加されることが回避され、像担持体などの劣化が防止される。
【００１１】
請求項３に記載の発明は、請求項２に記載の転写装置において、前記基体は内円筒スリーブであり、前記保護層が、前記内円筒スリーブへ外挿され、内周面側に導電性磁性粒子が配置された回転自在の外円筒スリーブであり、前記内円筒スリーブの内部に前記磁界発生手段が配置されていることを特徴としている。
【００１２】
請求項３に記載の発明によれば、外円筒スリーブが記録媒体の移動に伴って回転するため、不要な摩擦抵抗が発生しない。また、内円筒スリーブの内部に配置された磁界発生手段によって磁界を発生させる。これにより、内円筒スリーブと外円筒スリーブの間に導電性磁性粒子による磁気ブラシを形成できる。
【００１３】
請求項４に記載の発明に係る画像形成装置は、請求項１から請求項３までのいずれか１項に記載の転写装置と、記録媒体幅を検出する検出手段と、を有し、前記検出手段によって検出された記録媒体幅に基づき、前記記録媒体が通過する部分に前記磁界発生手段の磁界を発生させることを特徴としている。
【００１４】
請求項４に記載の発明によれば、検出手段によって記録媒体幅が検出され、この検出された記録媒体幅に基づき、制御手段が磁界発生手段を制御し、記録媒体が通過する部分に磁界を発生させる。このため、記録媒体が通過しない部分で磁気ブラシが形成されるのを回避でき、転写電圧が直接像担持体に印加されるのをより確実に防止できる。
【発明の効果】
【００１５】
本発明に係る転写装置及び画像形成装置では、最大幅よりも短い記録媒体を用いた場合でも、記録媒体が通過する部分にのみ転写電圧が印加され、直接像担持体に転写電圧が印加されることがないので、像担持体などの劣化を防止できる。
【発明を実施するための最良の形態】
【００１６】
以下、本発明に係る転写装置及び画像形成装置の実施形態を図面に基づいて説明する。
【００１７】
まず、最初に本発明の第１実施形態に係る転写装置が搭載された画像形成装置の全体構成及び印刷動作の概要を説明し、次に、本発明の要部について説明する。
【００１８】
図１には第１実施形態に係る転写装置２０が搭載された画像形成装置１０が示されている。この画像形成装置１０は、切断用のミシン目が予め穿設された連続用紙から成る記録媒体Ｐに画像を形成する装置であり、画像形成装置１０の機体内へ挿入された記録媒体Ｐは搬送ローラ２８によって、機体内を横切るように形成された搬送路を一定速度で搬送される。記録媒体Ｐの搬送路の上方側には、トナー像を形成する画像形成部３０が配置されている。なお、記録媒体Ｐは、連続用紙に限定されるものではなく、カット用紙の場合にも適用できる。
【００１９】
画像形成部３０内には、軸線が記録媒体Ｐの搬送方向と直交するように配置された像担持体（感光体ドラム）１２を備えている。像担持体１２の周囲には、像担持体１２を帯電させるための帯電器１４、帯電された像担持体１２上にレーザビームを照射して静電潜像を形成する光ビーム走査装置１６、像担持体１２上の静電潜像形成部位に所定色のトナーを供給して静電潜像を現像することで像担持体１２上に所定色のトナー像を形成させる現像装置１８、記録媒体Ｐの搬送路を挟んで像担持体１２と対向配置された転写装置２０、像担持体１２を除電する除電器２２、像担持体１２上の残留トナーを除去するためのクリーナブレード２４及びクリーナブラシ２６が配置されている。なお、図示しないが、記録媒体Ｐの搬送方向下流側には、搬送路の上方側と対向する位置にフラッシュ定着ユニットが配設されている。
【００２０】
このような画像形成装置１０では、像担持体１２が図１中時計回りに回転すると、まず帯電器１４によって像担持体１２の表面がほぼ均一にプラス極性の電位に帯電される。更に像担持体１２が回転すると、像担持体１２の表面が光ビーム走査装置１６によって露光され、像担持体１２の露光された部分の電位が低下して静電潜像が形成される。像担持体１２の静電潜像は、現像装置１８に搬送され、像担持体１２の帯電極性と同極性（プラス）に帯電しているトナーが、像担持体１２の電位低下部に電気的に付着して静電潜像が現像される。
【００２１】
その後、像担持体１２が更に回転すると、このトナーと逆極性（マイナス）の転写電圧が印加された転写装置２０に、トナーが電気的に引き寄せられる。これによって、像担持体１２上のトナー像が、記録媒体Ｐへ転写される。記録媒体Ｐに転写されたトナー像は、フラッシュ定着ユニット（図示せず）から照射されるフラッシュ光によって定着される。また、トナー像が転写された後の像担持体１２の表面は、除電器２２によって除電され、クリーナブレード２４及びクリーナブラシ２６でクリーニングされて残留トナーが除去される。
【００２２】
なお、上記画像形成部３０は図１では１つであるが、Ｃ（シアン），Ｍ（マゼンタ），Ｙ（イエロー），Ｋ（ブラック）各色のトナー像を形成する４つの画像形成部３０を記録媒体Ｐの搬送路に沿って略等間隔で配置することで、カラー画像を形成することができる。すなわち、４つの画像形成部３０における帯電・露光（静電潜像形成）・現像（トナー像形成）・転写の一連のプロセスを、各画像形成部３０で形成したトナー像が記録媒体Ｐ上で互いに重なり合うように実行タイミングを制御することで、記録媒体Ｐ上にフルカラー画像を形成することが可能である。
【００２３】
次に、上記画像形成装置１０に搭載された転写装置２０について説明する。
【００２４】
図２（Ａ）に示すように、この転写装置２０は、像担持体１２と記録媒体Ｐの搬送路を挟んで対向する位置に、非磁性の金属板からなる基体４２が像担持体１２の長手方向に沿って配置されている。この基体４２は、アルミニウムなどのほぼ矩形の金属板であり、金属板の４隅が上方に張り出した突出部４２Ａとなっている。この基体４２の内部には、多数の導電性磁性粒子４４が配置されている。導電性磁性粒子４４としては、例えば、直径が５０μｍ〜１００μｍのマグネタイト、フェライト等の粒子が用いられる。なお、導電性を付与するために粒子の表面に導電性樹脂をコーティングしてもよい。また、基体４２には、トナーと逆極性（本実施形態ではマイナス）の転写電圧が印加される電源４６が接続されている。
【００２５】
図３に示すように、基体４２の下方部には、基体４２上に磁界を発生させる磁界発生装置４８が配設されている。この磁界発生装置４８は、記録媒体Ｐの最大幅と対応する位置に複数の電磁石５０を並べたものであり、各々の電磁石５０に通電するためのスイッチ５２が設けられている。この電磁石５０は、軟鉄心の周囲に絶縁銅線を巻き付けたものであり、絶縁銅線に通電している間だけ軟鉄が磁化し、磁石となる。スイッチ５２は、制御装置５４によってＯＮ、ＯＦＦが制御されている。この制御装置５４は、予め検出された記録媒体Ｐの幅に合わせて、記録媒体Ｐが通過する部分に対応した電磁石５０のみをＯＮにするように設定されている。
【００２６】
本実施形態では、記録媒体Ｐの幅は、記録媒体Ｐを図示しないスプロケットにセットするときに検出できるように設定されている。なお、このような方法に限るものではなく、例えば、オペレータが記録媒体Ｐの幅の情報を入力するように設定してもよいし、記録媒体Ｐを図示しないセンサによって自動検出するように設定してもよい。
【００２７】
次に、本発明の第１実施形態に係る転写装置２０の作用について説明する。
【００２８】
図２（Ｂ）に示すように、記録媒体Ｐが通過しないときは、制御装置５４（図３参照）によってすべての電磁石５０のスイッチ５２をＯＦＦにする。
【００２９】
図２（Ａ）及び図３に示すように、像担持体１２上のトナー像を転写する際には、制御装置５４によって、予め検出された記録媒体幅に合わせて記録媒体Ｐが通過する部分と対応する電磁石５０のスイッチ５２をＯＮにする。これにより基体４２上に磁界が発生し、導電性磁性粒子４４が穂状に連なって磁気ブラシ４４Ａが形成される。そして、磁気ブラシ４４Ａが記録媒体Ｐの背面側に接触し、記録媒体Ｐと像担持体１２との接触状態が保たれる。また、基体４２には電源４６から転写電圧が印加されており、この転写電圧が基体４２を通じて磁気ブラシ４４Ａ（導電性磁性粒子４４）に印加されることで、像担持体１２上のトナー像が記録媒体Ｐに電気的に引き寄せられる。
【００３０】
一方、記録媒体Ｐが通過しない部分では、電磁石５０のスイッチ５２はＯＦＦにされているので、この部分には磁気ブラシ４４Ａは形成されない。このため、記録媒体Ｐが通過しない部分で導電性磁性粒子４４と像担持体１２とが接触することがなく、転写電圧が直接像担持体１２に印加されることが防止される。したがって、像担持体１２の劣化などが防止される。
【００３１】
次に、本発明に係る転写装置の第２実施形態を図面に基づいて説明する。
【００３２】
なお、第１実施形態と同一の部材には同一の符号を付し、重複した説明は省略する。
【００３３】
図４（Ａ）及び図５に示すように、この転写装置６０には、基体４２の下方部に、基体４２上に磁界を発生させる磁界発生装置６２が配設されている。この磁界発生装置６２は、記録媒体Ｐの最大幅と対応する位置に複数の永久磁石６４Ａ〜Ｄが並べて配置されている。この永久磁石６４Ａ〜Ｄは、板状体の両端部にＳ極とＮ極が着磁されたものであり、基体４２の表面での磁束密度は５０ｍＴ〜１５０ｍＴに設定されている。永久磁石６４Ａ〜Ｄは、支軸６５を中心にギア６６によって回転可能に支持されている。ギア６６は円板状のギア６８と噛み合っており、ギア６８にはモータ７０が連結されている。モータ７０の回転は制御装置７２によって制御されている。この制御装置７２は、予め検出された記録媒体Ｐの幅に合わせて、記録媒体Ｐが通過する部分に対応した永久磁石６４Ａ〜Ｄのモータ７０のみを回転するように設定されている。
【００３４】
本実施形態では、永久磁石６４Ａを記録媒体Ｐの最小幅に対応した長さ（像担持体１２の長手方向）に設定し、永久磁石６４Ｂ〜Ｄを記録媒体Ｐの種類（大きさ）に応じて分割するような構成としている。なお、このような構成に限定するものではなく、永久磁石の長さや個数は適宜に設定できる。
【００３５】
次に、この転写装置６０の作用について説明する。
【００３６】
図４（Ａ）及び図５に示すように、像担持体１２上のトナー像を転写する際には、制御装置７２によって、予め検出された記録媒体幅に合わせて記録媒体Ｐが通過する部分と対応する永久磁石６４Ａ，６４Ｂのモータ７０を回転させる。これにより、図４（Ａ）に示すように、ギア６８が矢印Ａ方向に回転し、ギア６６の回転とともに、永久磁石６４Ａ，６４Ｂが直立するように回転する。そして、永久磁石６４Ａの磁力により導電性磁性粒子４４が穂状に連なった磁気ブラシ４４Ｂが形成され、磁気ブラシ４４Ｂが記録媒体Ｐの背面側に接触し、記録媒体Ｐと像担持体１２との接触状態が保たれる。また、基体４２には電源４６から転写電圧が印加されており、この転写電圧が基体４２を通じて磁気ブラシ４４Ｂ（導電性磁性粒子４４）に印加されることで、像担持体１２上のトナー像Ｔが記録媒体Ｐに電気的に引き寄せられる。
【００３７】
一方、図４（Ｂ）及び図５に示すように、記録媒体Ｐが通過しない部分では、制御装置７２がモータ７０を回転させ、ギア６８を矢印Ｂ方向に回転させる。これにより、ギア６６が回転して永久磁石６４Ｃ，６４Ｄが横になり、磁力線が寝た状態となるため、磁気ブラシ４４Ｂは形成されない。このため、記録媒体Ｐが通過しない部分で導電性磁性粒子４４と像担持体１２とが接触することがなく、転写電圧が直接像担持体１２に印加されることが防止される。したがって、像担持体１２の劣化などが防止される。
【００３８】
次に、本発明に係る転写装置の第３実施形態を図面に基づいて説明する。
【００３９】
なお、第１実施形態又は第２実施形態と同一の部材には同一の符号を付し、重複した説明は省略する。
【００４０】
図６に示すように、この転写装置８０には、像担持体１２の周方向に沿って、基体４２の上面を覆うように保護膜８２が架け渡されている。この保護膜８２は、像担持体１２の長手方向の全長に対向する位置に設けられており、保護膜８２の両端部８２Ａ，８２Ａが像担持体１２の周方向に対向する突出部４２Ａに貼着されている。この保護膜８２には、導電性或いは半導電性の樹脂フィルムが用いられる。例えば、厚みが１０μｍ〜１００μｍで、体積抵抗が１０6Ω・ｃｍ〜１０12Ω・ｃｍのポリイミド、ＥＴＦＥ等が用いられる。なお、この転写装置８０の他の構成は第２実施形態に係る転写装置６０と同じである。
【００４１】
次に、この転写装置８０の作用について説明する。
【００４２】
このような転写装置８０では、記録媒体Ｐが通過する部分では、ギア６８，６６の回転により永久磁石６４Ａを直立させるように回転させる。そして、永久磁石６４Ａの磁力により導電性磁性粒子４４が穂状に連なった磁気ブラシ４４Ｂが形成され、磁気ブラシ４４Ｂが保護膜８２を押し上げる。この保護膜８２が記録媒体Ｐの背面側に接触し、記録媒体Ｐと像担持体１２との接触状態が保たれる。この状態で、電源４６から基体４２に転写電圧が印加され、この転写電圧が磁気ブラシ４４Ｂ（導電性磁性粒子４４）に印加されることで、像担持体１２上のトナー像Ｔが記録媒体Ｐに電気的に引き寄せられる。
【００４３】
このような転写装置８０では、基体４２の上方を保護膜８２で覆うので、導電性磁性粒子４４の飛散を防止できる。また、磁気ブラシ４４Ｂが保護膜８２を押し上げ、この保護膜８２が記録媒体Ｐに接触することで、記録媒体Ｐと像担持体１２とを安定した接触状態に維持できる。
【００４４】
次に、本発明に係る転写装置の第４実施形態を図面に基づいて説明する。
【００４５】
なお、第１〜第３実施形態と同一の部材には同一の符号を付し、重複した説明は省略する。
【００４６】
図７に示すように、この転写装置９０には、非磁性の金属スリーブからなる内円筒基体９２が像担持体１２の長手方向に沿ってほぼ平行に配設されている。内円筒基体９２には、厚みが０．５ｍｍ〜１．５ｍｍのアルミニウム等が用いられる。この内円筒基体９２の内部には、内円筒基体９２と像担持体１２との対向部に磁界を発生させる磁界発生装置９４が配置されている。この磁界発生装置９４は、記録媒体Ｐの最大幅と対応する位置に複数の電磁石９６を並べたものであり、各々の電磁石９６に通電するための電源装置９８が設けられている。この電源装置９８は制御装置１００によってＯＮ、ＯＦＦが制御されており、予め検出された記録媒体幅に合わせて、記録媒体Ｐが通過する部分に対応した電磁石９６のみをＯＮにするように設定されている。
【００４７】
また、内円筒基体９２の周面の外側には、合成樹脂の円筒スリーブからなる外円筒保護膜１０２が設けられている。これらの内円筒基体９２と外円筒保護膜１０２は、図示しない支持部材に装着されており、支持部材（図示せず）の回転により内円筒基体９２と外円筒保護膜１０２が一体となって回転するように構成されている。外円筒保護膜１０２には、例えば、厚みが１０μｍ〜１００μｍで、体積抵抗が１０6Ω・ｃｍ〜１０12Ω・ｃｍのポリイミド、ＥＴＦＥ等が用いられる。内円筒基体９２と外円筒保護膜１０２との間には多数の導電性磁性粒子４４が充填されている。
【００４８】
次に、この転写装置９０の作用について説明する。
【００４９】
図７に示すように、像担持体１２上のトナー像を転写する際には、制御装置１００によって、記録媒体Ｐが通過する部分と対応する電磁石９６の電源装置９８をＯＮにする。これにより内円筒基体９２と像担持体１２との対向部に磁界が発生し、導電性磁性粒子４４が穂状に連なった磁気ブラシ４４Ｃが形成される。そして、磁気ブラシ４４Ｃが外円筒保護膜１０２を押し上げ、この外円筒保護膜１０２が記録媒体Ｐの背面側に接触し、記録媒体Ｐと像担持体１２とが接触する。内円筒基体９２には電源４６から転写電圧が印加されており、この転写電圧が磁気ブラシ４４Ｃ（導電性磁性粒子４４）に印加されることで、像担持体１２上のトナー像Ｔが記録媒体Ｐに電気的に引き寄せられる。
【００５０】
このような転写装置９０では、記録媒体Ｐが通過する部分にのみ転写電圧が印加され、直接像担持体１２に転写電圧が印加されることが無いので、像担持体１２の劣化などが防止される。また、内円筒基体９２と外円筒保護膜１０２との間には多数の導電性磁性粒子４４が充填されるので、導電性磁性粒子４４の飛散を防止できる。また、磁気ブラシ４４Ｃが外円筒保護膜１０２を押し上げ、この外円筒保護膜１０２が記録媒体Ｐに接触することで、記録媒体Ｐと像担持体１２を安定した接触状態に維持できる。
【図面の簡単な説明】
【００５１】
【図１】本発明の第１実施形態に係る転写装置を搭載した画像形成装置を示す概略構成図である。
【図２】本発明の第１実施形態に係る転写装置の長手方向と直交する方向における構成図である。
【図３】本発明の第１実施形態に係る転写装置の長手方向における構成図である。
【図４】本発明の第２実施形態に係る転写装置の長手方向と直交する方向における構成図である。
【図５】本発明の第２実施形態に係る転写装置の長手方向における構成図である。
【図６】本発明の第３実施形態に係る転写装置の長手方向と直交する方向における構成図である。
【図７】本発明の第４実施形態に係る転写装置の長手方向と直交する方向における構成図である。
【図８】従来の画像形成装置を示す概略構成図である。
【図９】従来の画像形成装置における問題点を説明する図である。
【符号の説明】
【００５２】
１０   画像形成装置
１２   像担持体
４２   基体
４４Ａ 磁気ブラシ
４４Ｂ 磁気ブラシ
４４Ｃ 磁気ブラシ
４４   導電性磁性粒子
４６   電源
４８   磁界発生装置
５０   電磁石
５４   制御装置（磁界制御手段）
６０   転写装置
６２   磁界発生装置
６４Ａ，６４Ｂ       永久磁石
６４Ｃ，６４Ｄ       永久磁石
７０   モータ
７２   制御装置（磁界制御手段）
８０   転写装置
８２   保護膜（保護層）
９０   転写装置
９２   内円筒基体（内円筒スリーブ）
９４   磁界発生装置
９６   電磁石
９８   電源装置
１００ 制御装置（磁界制御手段）
１０２ 外円筒保護膜（外円筒スリーブ）
【図１】
2006085060.tif 000003
【図２】
2006085060.tif 000004
【図３】
2006085060.tif 000005
【図４】
2006085060.tif 000006
【図５】
2006085060.tif 000007
【図６】
2006085060.tif 000008
【図７】
2006085060.tif 000009
【図８】
2006085060.tif 000010
【図９】
2006085060.tif 000011